(57)【要約】【課題】従来のオーバーフロー装置は、水槽本体を貫通させて設けるものであり、したがって、水槽に穴を開ける必要があり、手間と時間がかかり、水槽に穴を開ける作業を失敗した場合は、水槽が破損する虞がある。また、水槽内の水位が安定しない場合もあった。【解決手段】本発明に係るオーバーフロー装置は、一方に位置する給水孔を設けた給水管と、他方に位置する分岐管と、該給水管に隣接する１本又は数本の連結管とで構成するオーバーフロー装置で、この給水管、連結管、分岐管を独立した管路とし、この給水管と分岐管と連結管を一体構成し、この給水管、連結管は、水槽の縁に載置するための引掛けを兼ねる構成とした。そして、僅かな水槽水位の変化を捉え、全管を利用したサイフォンとなり、水槽内の水位を安定させ、水を速く循環させることができる。【選択図】図１
2008079504.tif 000002
【特許請求の範囲】
【請求項１】
一方に位置する給水孔を設けた給水管と、他方に位置する分岐管と、該給水管に隣接する１本又は数本の連結管とで構成するオーバーフロー装置で、
この給水管、連結管、分岐管を独立した管路とし、この給水管と分岐管と連結管を一体構成し、
この給水管、連結管は、水槽の縁に載置するための引掛けを兼ねる構成としたオーバーフロー装置。
【請求項２】
細管を内設した第１立ち上がり管、孔を設けた管体、蛇行管とからなり、かつ水槽の縁に載置するための引掛けを兼ねる第１本管で構成するオーバーフロー装置で、
該第１立ち上がり管は、該蛇行管の後方に位置し、Ｌ形連結管を介して、該蛇行管と連結し、
該蛇行管は、第１垂直管、第２垂直管、第３垂直管、第４垂直管と、該Ｌ形連結管、Ｕ形連結管、Ｔ形連結管とからなり、
１）該第１垂直管と第４垂直管には、Ｔ形連結管をそれぞれ設け、該Ｔ形連結管を介して第１垂直管には、該管体を設けるとともに、該第４垂直管には、該第１立ち上がり管をそれぞれ接続し、
２）該第１垂直管と該第２垂直管は、該Ｕ形連結管を介して一体とし、
３）該第３垂直管と該第４垂直管は該Ｕ形連結管を介して一体とし、
４）該第１垂直管と該第４垂直管は該Ｌ形連結管と水平管を介して一体とし、
５）該第２垂直管と該第３垂直管は該Ｌ形連結管と水平管を介して一体とし
たことを特徴とするオーバーフロー装置。
【発明の詳細な説明】
【技術分野】
【０００１】
本発明は、落差を利用して水槽の水を落下させる多枝管構造のサイフォン式オーバーフロー装置に関する。
【背景技術】
【０００２】
主に観賞目的で熱帯魚等の魚類を飼育する場合、水槽内においては、魚類が食べ残した餌や糞等の排泄物によって、アンモニアやアオコ等が発生する場合がある。このように水槽内において発生したアンモニアやアオコ等をそのまま放置すると、魚類が病気にかかる虞があり、最悪の場合は死滅する虞がある。また、水槽内の水が汚れることにより観賞が妨げられる場合もある。
【０００３】
したがって、水槽内の水を交換する必要があるが、この際ひとまず、魚類を他の水槽やバケツ等に入れておき、水槽内の水を交換する。しかし、交換の際、魚類を掬って他の水槽やバケツに移す必要があるため、魚類の体に触れることは避けられず、魚体等を傷付けて、弱らせてしまう虞がある。
【０００４】
そこで、魚類を掬い出して水を交換する必要のないオーバーフロー装置なるものが重宝される。
【０００５】
オーバーフロー管を水槽に対して着脱自在とするものとして、特開２００２−７８４３３の文献（１）がある。この文献（１）に係る発明は、「飼育用実験水槽」で、その内容は、水槽本体と、水槽本体に取り付けられたオーバーフロー管とを備え、オーバーフロー管の下部は、水槽本体を貫通している飼育用実験水槽で、オーバーフロー管は、水槽本体に対して着脱自在に取り付けられていることを特徴とするものである。
【０００６】
次に、従来のオーバーフロー装置に関しては、文献（２）として、実用新案登録３０１８６１９が挙げられる。文献（２）は、水槽内の汚水を水の落下システムを利用して水の落下を可能とするものである。以下、文献（１）について説明する。
【０００７】
文献（２）は、実用新案登録３０１８６１９の「改良型水落下システム付水槽及び濾過装置」である。この考案は、下部に設けられた濾過槽対し、水槽に格別の工作を伴わずに、水槽中の水を落下させることができる水槽及び濾過装置で、水を貯留できる外部装着貯留装置と、水排出孔を有する曲がりサイフォンと、濾過槽に水を排出できる溢水管を有する改良型水落下システム付水槽及び該システムを有する濾過装置である。この考案は、熱帯魚や金魚等を飼育する為の水槽内に発生するアンモニアを、通常の水槽においても、下部の濾過槽に対し容易に水の落下を可能とする落下システム付水槽または、当該落下システムを有する濾過装置を提供することを目的とするものであり、水槽に格別の工作を伴わずに、水槽中の水を落下させることができるものである。
【０００８】
【特許文献１】特開２００２−７８４３３
【特許文献２】実用新案登録３０１８６１９
【発明の開示】
【発明が解決しようとする課題】
【０００９】
しかし、この文献（１）に係る発明のオーバーフロー管は、着脱自在ではあるが、水槽本体を貫通させて設けるものである。したがって、既存の水槽を使用する場合は、水槽に穴を開ける必要があり、手間と時間がかかる。また、水槽に穴を開ける作業を失敗した場合は、水槽を破損してしまう虞がある。
【００１０】
また、文献（２）の考案は、水が、曲がりサイフォンの水槽側の水注入孔側に設けたフィルターから入り、下部の濾過槽へ落下するものであり、揚水量と水槽内の水位には比例関係があり、揚水量を多くすると水槽内の水位が上昇し、逆に揚水量を少なくすると水槽内の水位は下降する。したがって、水槽内の水位は、揚水量の変化に対し不安定になる場合がある。しかし、本発明では、立ち上がり管の気液密度を自動調整し、常に落水量を制御するので、給水孔近傍に水位が安定する。また、立ち上がり管を長く垂下させることで、更に多くの水量調整をすることができ、循環サイクルが短くできる。つまり、本発明とは本質的に相違する。
【課題を解決するための手段】
【００１１】
そこで、本発明は、上記事情に鑑み、第１発明のオーバーフロー装置は、一方に位置する給水孔を設けた給水管と、他方に位置する細管を内設した第１立ち上がり管と、該給水管に隣接し、この給水管と第１立ち上がり管に連結する１本又は数本の連結管とで構成するオーバーフロー装置で、この給水管、連結管、第１立ち上がり管を独立した管路とし、この給水管と第１立ち上がり管と連結管を一体構成し、この給水管、連結管は、水槽の縁に載置するための引掛けを兼ねる構成とすることを特徴とする。
【００１２】
第２発明のオーバーフロー装置は、細管を内設した第１立ち上がり管、孔を設けた管体、蛇行管とからなり、かつ水槽の縁に載置するための引掛けを兼ねる第１本管で構成するオーバーフロー装置で、該第１立ち上がり管は、該蛇行管の後端に位置したＬ形連結管を介して、該蛇行管と連結し、該蛇行管は、第１垂直管、第２垂直管、第３垂直管、第４垂直管と、該Ｌ形連結管、並びに該Ｕ形連結管には、該管体を設けるとともに、該第４垂直管には、該Ｌ形連結管をそれぞれ接続し、１）該第１垂直管と第４垂直管には、Ｔ形連結管をそれぞれ設け、該Ｔ形連結管を介して第１垂直管には、該管体を設けるとともに、該第４垂直管には、該Ｌ形連結管をそれぞれ接続し、２）該第１垂直管と該第２垂直管は、該Ｕ形連結管を介して一体とし、３）また該第３垂直管と該第４垂直管は該Ｌ形連結管を介して一体とし、４）該第１垂直管と該第４垂直管は該Ｌ形連結管を介して一体とし、５）該第２垂直管と該第３垂直管は該Ｌ形連結管を介して一体とし、６）また該管体は、該蛇行管のＴ形連結管を介して、該蛇行管と連結した構成とすることを特徴とする。
【発明の効果】
【００１３】
第１発明によれば、オーバーフロー装置が給水管、分岐管、連結管等の簡易な物品で構成され、僅かな水槽水位の変化を捉え、全管を利用したサイフォンとなり、水を速く循環させることができる。
【００１４】
第２発明によれば、第１立ち上がり管には細管が内設されているため、細管を通過する水は空気を取り込みながら水泡状となって排気排水されるため、呼び水は、蛇行管の内部に張るだけでよく、呼び水を少なくすることができる。
【発明を実施するための最良の形態】
【００１５】
図１は、本発明の第１実施例の正面図である。図２は、本発明の第１実施例の背面図である。図３は、本発明の第１実施例の右側面図である。図４は、本発明の第１実施例の左側面図である。図５は、本発明の第１実施例の上面図である。図６は、本発明の第１実施例の下面図である。図７は、本発明の第２実施例の正面図である。図８は、本発明の第２実施例の背面図である。図９は、本発明の第２実施例の右側面図である。図１０は、本発明の第２実施例の左側面図である。図１１は、本発明の第２実施例の上面図である。図１２は、本発明の第２実施例の下面図である。図１３は、本発明の第２実施例の斜視図である。図１４は、本発明の第２実施例の蛇行管部がＬ形連結管から着脱自在であることを表した斜視図である。図１５は、本発明の第２実施例の第１本管が分岐部から着脱自在であることを表した斜視図である。図１６は、本発明の第３実施例の１部欠截した拡大斜視図である。図１７は、水受体の底受部に内筒体が嵌合した状態の断面図である。図１８は、本発明の第３実施例の正面図である。図１９は、本発明の第３実施例の背面図である。図２０は、垂下管から分離させた第３実施例の斜視図である。図２１から図２４は、本発明の第１実施例の使用状態の段階を表した斜視図である。
【００１６】
図１より、第１実施例である第１本管１の構成物品を大別すると、第１立ち上がり管１０、管体２５と、蛇行管１５とからなる。また、蛇行管１５と管体２５で蛇行管部１７を構成する。そして、第１本管１の内部を流路とし、内部を通過した水５１は、垂下管４０を通過して落水する。なお、第１実施例を図示した図１〜図６では、第１立ち上がり管１０の下方に垂下管４０を設けた構成としており、また図示されていないが、第１立ち上がり管１０には細管１０ａが、垂下管４０には細管４０ａが内設されている。
【００１７】
蛇行管部１７は大別して、第１垂直管１１、第２垂直管１２、第３垂直管１３、第４垂直管１４、水平管１８ａ、水平管１８ｂ、Ｌ形連結管３、Ｕ形連結管４、Ｔ形連結管５、管体２５とから構成される。本図では表現されていないが、第２垂直管１２の奥側には第１垂直管１１が隠蔽されている。また、第３垂直管１３の奥側には第４垂直管１４が隠蔽されている。
【００１８】
そして、第１実施例の水平管１８ａ、水平管１８ｂの下辺部の引掛け１９ａ、１９ｂを水槽５０の縁５０ａに引掛けることにより本発明を使用する。
【００１９】
第１垂直管１１の途中に連結孔５ａを有するＴ形連結管５を設けている。そして、連結孔５ａに管体２５の一方を連結することにより連結管５と水平方向に進行する管体２５が一体となる。これによって、第１垂直管１１と管体２５は、略Ｔ字形状を構成する。また、管体２５の他方には、蓋体２５ｂを設けているが、蓋体２５ｂを用いないで端部を被覆する構成としてもよい。さらに本図では図示されていないが、管体２５の上辺部には、入水孔２５ａを設けている。この入水孔２５ａから水５１が進入し、垂下管４０から排出される。
【００２０】
第４垂直管１４の途中に、連結孔５ａを有するＴ形連結管５を設けている。そして第４垂直管１４の途中に設けられたＴ形連結管５の連結孔５ａに第１立ち上がり管１０が連結したＬ形連結管３の一方を挿入することによって蛇行管部１７と第１立ち上がり管１０が一体となる。
【００２１】
以下、本図で図示されていない部分を含めて蛇行管の構成を説明する。
【００２２】
第２垂直管１２の一方とＬ形連結管３の他方が連結することによって、第２垂直管１２とＬ形連結管３が一体となる。そして、Ｌ形連結管３の一方と水平管１８ｂの他方が連結することによって一体となる。したがって、第２垂直管１２とＬ形連結管３、水平管１８ｂは一体となることにより全体として略Ｌ字形状を構成する。
【００２３】
第３垂直管１３の一方とＬ形連結管３の他方が連結することによって、第３垂直管１３とＬ形連結管３が一体となる。そして、第２垂直管１２とＬ形連結管３が連結した水平管１８ｂの一方とＬ形連結管３の一方が一体となる。したがって、第２垂直管１２、Ｌ形連結管３、水平管１８ｂ、Ｌ形連結管３、第３垂直管１３は一体となることにより全体として略コの字形状を構成する。
【００２４】
本図では図示されていない第１垂直管１１の一方とＬ形連結管３の他方が連結することによって、第１垂直管１１とＬ形連結管３が一体となる。そして、Ｌ形連結管３の一方と水平管１８ａの他方が連結することによって一体となる。したがって、第１垂直管１１、Ｌ形連結管３、水平管１８ａは一体となることにより全体として略Ｌ字形状を構成する。
【００２５】
同じく本図では図示されていない第４垂直管１４の一方とＬ形連結管３の他方が連結することによって、第４垂直管１４とＬ形連結管３が一体となる。そして、第４垂直管１４とＬ形連結管３が連結した水平管１８ａの一方とＬ形連結管３の一方が一体となる。したがって、第１垂直管１１、Ｌ形連結管３、水平管１８ａ、Ｌ形連結管３、第４垂直管１４は一体となることにより全体として略コの字形状を構成する。
【００２６】
本図では図示されていない第１垂直管１１の他方とＵ形連結管４の一方が連結することによって、第１垂直管１１とＵ形連結管４が一体となる。そして、Ｕ形連結管４の他方と第２垂直管１２の他方が連結することによって第２垂直管１２とＵ形連結管４が一体となる。したがって、第１垂直管１１、Ｕ形連結管４、第２垂直管１２は一体となることにより全体として略Ｕ字形状を構成する。
【００２７】
また、本図では図示されていない第４垂直管１４の他方とＵ形連結管４の一方が連結することによって、第４垂直管１４とＵ形連結管４が一体となる。そして、Ｕ形連結管４の他方と第３垂直管１３の他方が連結することによって第３垂直管１３とＵ形連結管４が一体となる。したがって、第４垂直管１４、Ｕ形連結管４、第３垂直管１３は一体となることにより全体として略Ｕ字形状を構成する。
【００２８】
以上のように、Ｌ形連結管３やＵ形連結管４を介することにより、第１垂直管１１、第２垂直管１２、第３垂直管１３、第４垂直管１４、水平管１８ａ、水平管１８ｂ、管体２５が一体となり、これら全体として蛇行管部１７を構成する。
【００２９】
図２は、本件発明のオーバーフロー装置を背面視した図であり、図１を反対側から図示したものである。
【００３０】
本図では図示されていないが、第１垂直管１１の奥側に第２垂直管１２が隠蔽されている。また、第４垂直管１４の奥側に第３垂直管１３が隠蔽されている。そして、第２垂直管１２と第３垂直管１３は、Ｌ形連結管３と水平管１８ｂを介することにより一体となる。
【００３１】
ここで、管体２５と、Ｔ形連結管５とＬ形連結管３の連結辺部６は、水平方向に略同位である。同位としないことによるデメリットとしては、以下のような点が挙げられる。例えば仮に、間欠濾過、すなわち、揚水ポンプの作動音が大きい場合、昼間は揚水ポンプを作動させているが、就寝する夜間は揚水ポンプを停止するというように、一定の間隔をおいて揚水ポンプの作動・停止が繰り返され、水槽５０内の水５１が濾過される場合に於いても、水槽５０の水位の安定が望まれる。しかし、管体２５が連結辺部６より上方にある場合は、揚水ポンプ停止後間もなく水位が下がっていく蛇行管１５内を流れる水の勢いを止めきれずに蛇行管１５内に空気が進入し、以後サイフォンが機能しなくなる虞が生じる。また逆に、管体２５が連結辺部６より下方にある場合は、管体２５と連結辺部６との距離があるため、揚水開始後、連結辺部６の水位に達した時、落水が始まり、揚水を止めた時、管体２５の水位まで下がって落水は止まる。したがって、その分、水槽５０の水位に変化が出てしまう。以上の点から、管体２５と連結辺部６は、水平方向に同位であることが望ましい。
【００３２】
図３に示すように、第１実施例は、第４垂直管１４の途中に設けたＴ形連結管５の連結孔５ａにＬ形連結管３の他方が挿入されることにより、第１立ち上がり管１０と蛇行管部１７が一体となる。
【００３３】
第３垂直管１３と第４垂直管１４は、Ｕ形連結管４を介して一体となり、全体として略Ｕ字形状を構成している。なお、本図では表現されていないが、第４垂直管１４の奥側には第１垂直管１１が隠蔽され、第３垂直管１３の奥側には、第２垂直管１２が隠蔽されている。そして、第１垂直管１１と第２垂直管１２は、Ｕ形連結管４を介して一体となり、全体として略Ｕ字形状を構成している。
【００３４】
第１垂直管１１と第４垂直管１４の間に介在する水平管１８ａと、第２垂直管１２と第３垂直管１３の間に介在する水平管１８ｂは、略同位である。
【００３５】
図４に示すように、第１垂直管１１の途中に設けたＴ形連結管５から管体２５が水平方向に進行する。
【００３６】
蛇行管部１７を構成する第１垂直管１１と第２垂直管１２は、並列した構成である。
【００３７】
第１垂直管１１と第２垂直管１２は、Ｕ形連結管４を介して一体となり、全体として略Ｕ字形状を構成している。
【００３８】
なお、本図では図示されていないが、第１垂直管１１の奥側に第４垂直管１４が隠蔽されている。第２垂直管１２の奥側に第３垂直管１３が隠蔽されている。そして、第３垂直管１３と第４垂直管１４は、Ｕ形連結管４を介して一体となり、全体として略Ｕ字形状を構成している。
【００３９】
第１垂直管１１と第４垂直管１４の奥側には、第１立ち上がり管１０の一部が隠蔽されている。
【００４０】
第１垂直管１１と第４垂直管１４の間に介在する水平管１８ａと、第２垂直管１２と第３垂直管１３の間に介在する水平管１８ｂは、略同位である。
【００４１】
図５に示すように、第１実施例は、第１垂直管１１と第４垂直管１４の間に介在する水平管１８ａと、第２垂直管１２と第３垂直管１３の間に介在する水平管１８ｂは、並列した構成としている。
【００４２】
管体２５の上辺部には、入水孔２５ａを設け、入水孔２５ａから水５１が進入する。
【００４３】
図６では図示されていないが、第１垂直管１１と第２垂直管１２は、Ｕ形連結管４を介して一体となる。また、第３垂直管１３と、垂下管４０に隠蔽されている第４垂直管１４は、Ｕ形連結管４を介して一体となる。また、管体２５の上辺部には、入水孔２５ａを設けている。
【００４４】
以上説明した第１実施例の素材は、いわゆる塩ビ管や、銅製の管等を用いることができるが、本発明の効果を有することが可能であれば、素材の如何は問わない。また、第１実施例は、各管を連結するためのＬ形連結管３、Ｕ形連結管４、Ｔ形連結管５を使用するが、Ｌ形連結管３、Ｕ形連結管４、Ｔ形連結管５を使用しなくても本発明の効果を奏する場合は、各管を折り曲げて形成してもよい。なお、図１〜図６では、垂下管４０の下方をテーパー形状としているが、本発明の効果を奏することができれば垂下管４０の形状はストレート形状であってもよい。
【００４５】
図７で図示する１部欠截した第２実施例のオーバーフロー装置を大別すると、上述した第１実施例である第１本管１、第２本管２、分岐管３０、垂下管４０により構成している。そして、分岐管３０の下方に垂下管４０を設ける構成である。そして、第１本管１０、第２本管２０の内部を流路とし、内部を通過した水５１は、垂下管４０を通過して落水する。なお、第２実施例を図示した図８〜図１２では、分岐管３０の柄部３０ｂに垂下管４０を設けた構成としている。なお、図示されていないが、垂下管４０には細管４０ａが内設されている。
【００４６】
以下、第２実施例を図示されていない部分を含めて説明する。
【００４７】
第２実施例は分岐管３０を基点として、第１本管１と第２本管２を併設するものである。したがって、第２実施例における第１本管１についての説明は、図１〜図６で説明した第１実施例の説明に準ずる。但し、第１実施例における第１本管１の管体２５は、第２実施例における場合は、水位調整孔１６ａを設けた水位調整管１６となり、水槽５０内の水位を調整するものである。
【００４８】
分岐管３０は、分岐部３０ａと柄部３０ｂから構成されており、分岐管３０の上方を分岐部３０ａとし、分岐管３０の下方を柄部３０ｂとする。分岐部３０は、第１本管１、第２本管２を連結するため、上方が２又に分岐されている。そして、分岐管３０の下方の柄部３０ｂと垂下管４０の上方が連結することによって分岐管３０と垂下管４０が一体となる。
【００４９】
第２本管２を大別すると、第２立ち上がり管２０、Ｌ形連結管３、水平管２１、Ｌ形連結管３、垂直管２２、Ｌ形連結管３、給水管２３とからなる。
【００５０】
第２立ち上がり管２０は、分岐管３０の分岐部３０ａから上方へ立ち上がる構成である。そして上方へ立ち上がった第２立ち上がり管２０の一方と水平管２１の一方が、Ｌ形連結管３を介して一体となる。したがって、第２立ち上がり管２０とＬ形連結管３と水平管２１で全体としてＬ字形状を構成する。
【００５１】
また、垂直管２２の一方と水平管２１の他方がＬ形連結管３を介して一体となる。
【００５２】
そして、第２立ち上がり管２０、Ｌ形連結管３、水平管２１、Ｌ形連結管３、垂直管２２が結合することによって全体として数字の７字形状を構成する。
【００５３】
水平方向に進行する給水管２３の一方と垂直管２２の他方は、Ｌ形連結管３を介して一体となる。
【００５４】
給水管２３の下辺部には、給水孔２３ａを設けており、この給水孔２３ａより水槽内５０の水５１が進入し、第２本管２の内部の流路を通って垂下管４０から排出される。
【００５５】
なお、本図では表現されていないが、第２垂直管１２の奥側には第１垂直管１１が隠蔽され、第１垂直管１１の奥側には第２本管２の垂下管２２が隠蔽されている。また、第３垂直管１３の奥側には第４垂直管１４が隠蔽されている。さらに、水位調整管１６の奥側には給水管２３が隠蔽されている。また、第１本管１の第１立ち上がり管１０の奥側に、第２本管２の第２立ち上がり管２０が隠蔽されている。
【００５６】
図８は、第２実施例を背面視したものであり、図７を反対側から図示したものである。
【００５７】
第２立ち上がり管２０の奥側に第１立ち上がり管１０が隠蔽されている。また、第２本管２の垂直管２２の奥側に第１垂直管１１と第２垂直管１２が隠蔽されている。そして、第４垂直管１４の奥側に第３垂直管１３が隠蔽されている。給水管２３の奥側に、水位調整管１６が隠蔽されている。
【００５８】
図９に示すように、第２実施例を右側面視すると、分岐管３０と、分岐管３０の分岐部３０ａの一方に連結した第１本管１の第１立ち上がり管１０と、分岐管３０の分岐部３０ａの他方に連結した第２本管２の第２立ち上がり管２０が一体となって、全体として音叉形状を構成している。
【００５９】
なお、本図では表現されていないが、第２本管２の第２立ち上がり管２０の上方の奥側に垂直管２２が隠蔽されている。また、第４垂直管１４の奥側には第１垂直管１１が隠蔽され、第３垂直管１３の奥側には、第２垂直管１２が隠蔽されている。そして、第３垂直管１３と第４垂直管１４は、Ｕ形連結管４を介して一体となり、全体として略Ｕ字形状を構成している。
【００６０】
第２本管２の第２立ち上がり管２０と垂下管２２の間に介在する水平管２１と、第１垂直管１１と第４垂直管１４の間に介在する水平管１８ａと、第２垂直管１２と第３垂直管１３の間に介在する水平管１８ｂは、略同位である。また、各水平管の下辺部を引掛け１９ａ、１９ｂ、２４とし、この引掛け１９ａ、１９ｂ、２４を水槽５０の縁５０ａに引掛けることによって本発明を使用する。なお、本図では、第１本管１の第１立ち上がり管１０の長さは、第２本管２の第２立ち上がり管２０の長さの略三分の二程度であるが、第２本管２の第２立ち上がり管２０と垂下管２２の間に介在する水平管２１と、第１垂直管１１と第４垂直管１４の間に介在する水平管１８ａと、第２垂直管１２と第３垂直管１３の間に介在する水平管１８ｂが略同位となれば、第１立ち上がり管１０と第２立ち上がり管２０の長さの比率は問わない。
【００６１】
図１０に示すように、第２実施例を左側面視すると、垂直管２２と第１垂直管１１と第２垂直管１２が並列した構成となる。
【００６２】
第１垂直管１１と第２垂直管１２は、Ｕ形連結管４を介して一体となり、全体として略Ｕ字形状を構成している。また、第１垂直管１１の途中に設けたＴ形連結管５より水位調整管１６が延出し、垂直管２２と結合するＬ形連結管３の他方より給水管２３が延出する。そして、水位調整管１６と給水管２３は、併設される。
【００６３】
垂直管２２の奥側に第２立ち上がり管２０の一部が隠蔽されている。第１垂直管１１の奥側に第４垂直管１４が隠蔽されている。第２垂直管１２の奥側に第３垂直管１３が隠蔽されている。
【００６４】
第１垂直管１１と第４垂直管１４の奥側には、第１立ち上がり管１０の一部が隠蔽されている。
【００６５】
また、垂直管２２とＬ形連結管３を介して一体となった給水管２３が、水平方向に設けられている。給水管２３の端部には蓋体２３ｂを設けているが、蓋体２３ｂを用いないで端部を被覆する構成としてもよい。
【００６６】
本図では、水位調整管１６、給水管２３を同位の構成としているが、両者を同位としない構成とすることもできる。具体的には、水位調整管１６を給水管２３よりも上位とする構成も可能である。但し、給水管２３を水位調整管１６よりも上位とする構成はできない。
【００６７】
図１１に示すように、第２実施例を上面視すると、第２立ち上がり管２０と垂直管２２の間に介在する水平管２１と、第１垂直管１１と第４垂直管１４の間に介在する水平管１８ａと、第２垂直管と第３垂直管の間に介在する水平管１８ｂは、並列した構成としている。
【００６８】
水位調整管１６と給水管２３は、並列した構成としている。水位調整管１６の上辺部には、水位調整孔１６ａを設け、水位調整孔１６ａから水５１が進入する。また本図では図示されていないが、給水管２３の下辺部に給水孔２３ａを設け、給水孔２３ａから水が進入する。
【００６９】
図１２に示すように、分岐部３０の下方を柄部３０ｂとし、柄部３０ｂと細管４０ａが内設された垂下管４０が結合される。そして水５１が細管４０ａを通過することにより水５１が泡状となる。
【００７０】
給水管２３と水位調整管１６は、並列した構成となる。給水管２３の下辺部には、給水孔２３ａを設け、給水孔２３ａから水５１が進入する。また本図では図示していないが、水位調整管１６の上辺部には、水位調整孔１６ａを設けている。
【００７１】
なお、第２本管２の素材は、いわゆる塩ビ管や、銅製の管等を用いることができるが、本発明の効果を有することが可能であれば、素材の如何は問わない。また、第２実施例は、各管を連結するためのＬ形連結管３、Ｕ形連結管４、Ｔ形連結管５を使用するが、Ｌ形連結管３、Ｕ形連結管４、Ｔ形連結管５を使用しなくても本発明の効果を奏する場合は、各管を折り曲げて形成してもよい。
【００７２】
第２実施例を斜視した図１３〜図１６で明らかなように、分岐管３０を基点として第１本管１と第２本管２が併設されている。
【００７３】
図１４は、第１本管１のＬ形連結管３から、蛇行管部１７を分離させた状態の斜視図である。蛇行管部１７は、本図で表現する矢印に沿ってＬ形連結管１７から着脱自在となる。なお、本図では明らかでないが、給水管２３の下辺部に給水孔２３ａを設けている。
【００７４】
図１５は、第２実施例の第１本管１を分岐部の一方から分離させた状態の斜視図である。
第１本管１０は、本図で表現する矢印に沿って分岐管の分岐部の一方から着脱自在となる。なお、本図では明らかでないが、給水管２３の下辺部に給水孔２３ａを設けている。
【００７５】
図１６に示すように、第３実施例は、大別して給水管６０、第１連結管６１、第２連結管６２と、水受体６４と内筒体６５、分岐管６６、垂下管６７とから構成されている。そして各管の内部を流路とし、内部を通過した水５１は、垂下管６７を通過して落水する。第３実施例を図示した図１６、図１８〜図２０では、分岐管６６に垂下管６７を設けた構成としている。また、図示されていないが、垂下管６７には細管６７ａが内設されている。
【００７６】
給水管６０は、分岐管６６から上方へ立ち上がり、楕円形に屈曲した楕円形状部６８を形成し、さらに上方へ立ち上がり、Ｕ字状の引っ掛け６０ｂを形成したうえで下方へ垂下し、内筒体６５の内壁に固着する。ここで、給水管６０の先端は、底受部６４ａまで垂下する。
【００７７】
第２連結管６２は、分岐管６６から上方へ立ち上がり、給水管６０の楕円形状部６８の中を通過し、さらに上方へ立ち上がり、Ｕ字状の引っ掛け６２ｂを形成したうえで下方へ垂下し、給水管６０と併設する。ここで、第２連結管６２の先端は、水受体６４の上端部６５ａの近傍まで垂下する。
【００７８】
第１連結管６１は、給水管６０や第２連結管６２と異なり、分岐管６６から上方へ立ち上がる構成ではなく、第１連結管６１の後端が、楕円形状部６８に連結され、Ｕ字状の引っ掛け６１ｂを形成したうえで下方へ垂下し、第２連結管６２と併設する。ここで、第１連結管６１の先端は、第２連結管６２の先端より上方まで垂下する。
【００７９】
したがって、給水管６０の先端、第１連結管６１の先端、第２連結管６２の先端の位置関係は、第１連結管６１の先端より第２連結管６２の先端の方が下方に垂下され、第２連結管６２の先端より給水管６０の先端の方が下方に垂下する。
【００８０】
そして、給水管６０と第１連結管６１と第２連結管６２に設けた引っ掛け６０ｂ、６１ｂ、６２ｂを水槽５０の縁５０ａに引っ掛けて本発明を使用する。また、給水管６０と第１連結管６１と第２連結管６２のＵ字状の引っ掛け６０ｂ、６１ｂ、６２ｂの反対側、すなわち、給水管６０と第１連結管６１と第２連結管６２の上端は、略同位である。
【００８１】
水受体６４は、底部である底受部６４ａと、円筒状の網状の網体６４ｄとで構成されている。円筒状の網体６４ｄのように網状とすることによって飼育魚の進入を防止することが可能であり、また、網体６４ｄの目よりも大きい水中のゴミ等の異物の侵入を防止でき、給水管６０の目詰りを予防することができるため、目詰りすることなく異物が混入されてない水５１を循環させることが可能である。
【００８２】
内筒体６５を水受体６４の底受部６４ａに嵌合することにより、内部に給水管６０、第１連結管６１、第２連結管６２が固着した内筒体６５と水受体６４が一体となる。
【００８３】
内筒体６５の上端部６５ａと楕円形状部６８の内側上端部６８ａは、略同位である。また、内筒体６５の下端部６５ｂと楕円形状部６８の外側下端部６８ｃは、略同位である。
【００８４】
円筒体６５の内部に設ける給水管６０、第１連結管６１、第２連結管６２は、並列して設ける。本図では、給水管６０、第１連結管６１、第２連結管６２で３本とする構成であるが、４本とすることも可能である。例えば、給水管６０と第１連結管６１との間に、第２連結管６２と第３連結管を並列して設けることも可能である。
【００８５】
図１７の断面図のように、外周を網状とした水受体６４の底部の底受部６４ａに内筒体６５が嵌合することにより水受体６４と内筒体６５が一体となる。
【００８６】
図１８で図示したように、内筒体６５の上端部６５ａと楕円形状部６８の内側上端部６８ａは、略同位である。また、水受体６４の下端部６４ｂと楕円形状部６８の外側下端部６８ｃは、略同位である。
【００８７】
図１９で図示したように、第１連結管６１の後端部６１ｄが、楕円形状部６８の外側上端部６８ｂに連結されており、第２連結管６２は、楕円形状部６８の中を通過する構成である。
【００８８】
図２０は、第３実施例を分岐管６６から垂下管６７を取り外した状態の斜視図である。このように分岐管６６の柄部６６ｂより垂下管６７を取り外すことが可能である。本図で表現する矢印に沿って垂下管６７が着脱自在となる。
【００８９】
以上説明した第３実施例の素材は、いわゆる塩ビ管や、銅製の管等を用いることができるが、本発明の効果を有することが可能であれば、素材の如何は問わない。
【００９０】
図２１から図２４においては、本発明である第１実施例の使用段階を図示している。
【００９１】
実際に本発明を使用する場合には、本発明や水槽５０の他、主に、水槽５０の下方に設ける下方水槽（図示せず）、下方水槽に貯留された水を汲み上げて水槽内へ還元する揚水ポンプ（図示せず）を使用するが、本発明はこの例に限定されるものではない。例えば、下方水槽や揚水ポンプを使用せず、垂下管８から排水された水１１ｂを水槽１１内に返還せず、排水溝に流したり、植物に与えたりし、減少した水槽１１内には、別の新たな水１１ｂを補填するという構成としてもよい。
【００９２】
なお、図２１から図２４に図示した本発明は、第一実施例を基に説明しているが、第一実施例に限らず第二実施例、第３実施例でも同様である。
【００９３】
まず、図２１の前段階として、水５１が入っていない状態の第１本管１に呼び水を入れる。本発明の内部に呼び水５１を入れる方法としては、様々な方法があるが、例えば、水５１が張られた水槽５０内に本発明を水没させて、本発明の内部に呼び水５１を進入させる方法や、垂下管４０の下方から水５１を入れ、本発明を揺動させ、本発明の内部に呼び水を進入させる方法がある。
【００９４】
そして、本発明の内部に水５１を進入させた後、第１本管１の管体２５の上辺部の入水孔２５ａを大気側５２にして本発明を立ち上げると、第１垂直管１１の一部と第２垂直管１２の一部が呼び水で満たされる。そのうえで、第一実施例の引っ掛け１９を水槽５０の縁５０ａに引っ掛けた状態が図２１に図示したものである。
【００９５】
そして水位が上がると図２２のように、水５１が第４垂直管１４から第１立ち上がり管１０の細管１０ａを通過し、落水する。
【００９６】
さらに水位が増し、吸引力が強くなると図２３のように、第１垂直管１１から第２垂直管１２へ移動し、さらに水平管１８をとおり第３垂直管１３を経由してその後第４垂直管に至った水５１が細管１０ａを通過し、第１立ち上がり管１０から大量に排出される。この場合も水５１は、細管１０ａを通過しているため、水泡が混入する。また、入水孔２５ａからも空気が入るため、細管１０ａに至る前であっても空気が混入する。
【００９７】
最後は、図２４で図示したように、各管内が水５１で満たされ、全管を利用したサイフォンとなり、水槽５０内の水５１を早く循環させることができ、垂下管４０から排気排水される。
【００９８】
このように水は複数の管体２５である蛇行管部１７の第１垂直管１１乃至第４垂直管１４を通過するため、さらなる素早いサイフォンが可能となり、水５１を循環することができる。また、複数の管体２５である第１垂直管１１乃至第４垂直管１４のそれぞれを外部に設け独立配管とする構成であるため、本出願人の特願２００６−３０９０のように内外管の構成を簡略化することと、実用に供するオーバーフロー装置を提供すること等を目的として、独立配管構造を採用した。さらに、特願２００６−３０９０は、外管に内管を設けるものであるため、構造上、小さなオーバーフロー装置を作成することが困難な場合がある。
【００９９】
また本発明は、第１垂直管１１乃至第４垂直管１４を外部に隣接して設けているため、管の内部にゴミが詰まった場合、管を取り外すことにより管内の清掃が容易に行うことができる。
【図面の簡単な説明】
【０１００】
【図１】本発明の第１実施例の正面図である。
【図２】本発明の第１実施例の背面図である。
【図３】本発明の第１実施例の右側面図である。
【図４】本発明の第１実施例の左側面図である。
【図５】本発明の第１実施例の上面図である。
【図６】本発明の第１実施例の下面図である。
【図７】本発明の第２実施例の正面図である。
【図８】本発明の第２実施例の背面図である。
【図９】本発明の第２実施例の右側面図である。
【図１０】本発明の第２実施例の左側面図である。
【図１１】本発明の第２実施例の上面図である。
【図１２】本発明の第２実施例の下面図である。
【図１３】本発明の第２実施例の斜視図である。
【図１４】本発明の第２実施例のＬ形連結管から、蛇行管部を分離させた状態の斜視図である。
【図１５】本発明の第２実施例の第１本管を分岐部の一方から分離させた状態の斜視図である。
【図１６】本発明の第３実施例の１部欠截した要部拡大斜視図である。
【図１７】水受体の底受部に内筒体が嵌合した状態の断面図である。
【図１８】本発明の第３実施例の正面図である。
【図１９】本発明の第３実施例の背面図である。
【図２０】第３実施例を分岐管から取り外した状態の斜視図である。
【図２１】本発明の第１実施例の使用状態の第１段階を表した斜視図である。
【図２２】本発明の第１実施例の使用状態の第２段階を表した斜視図である。
【図２３】本発明の第１実施例の使用状態の第３段階を表した斜視図である。
【図２４】本発明の第１実施例の使用状態の第４段階を表した斜視図である。
【符号の説明】
【０１０１】
１：第１本管
２：第２本管
３：Ｌ形連結管
４：Ｕ形連結管
５：Ｔ形連結管
５ａ：連結孔
６：連結辺部
１０：第１立ち上がり管
１０ａ：細管
１１：第１垂直管
１２：第２垂直管
１３：第３垂直管
１４：第４垂直管
１５：蛇行管
１６：水位調整管
１６ａ：水位調整孔
１６ｃ：蓋体
１７：蛇行管部
１８ａ：水平管
１８ｂ：水平管
１９ａ：引っ掛け
１９ｂ：引っ掛け
２０：第２立ち上がり管
２１：水平管
２２：垂直管
２３：給水管
２３ａ：給水孔
２３ｂ：蓋体
２４：引っ掛け
２５：管体
２５ａ：入水孔
２５ｂ：蓋体
３０：分岐管
３０ａ：分岐部
３０ｂ：柄部
４０：垂下管
４０ａ：細管
５０：水槽
５０ａ：縁
５１：水
５２：大気側
６０：給水管
６０ｂ：引っ掛け
６１：第１連結管
６１ｂ：引っ掛け
６１ｄ：後端部
６２：第２連結管
６２ｂ：引っ掛け
６４：水受体
６４ａ：底受体
６４ｄ：網体
６５：内筒体
６５ａ：上端部
６５ｂ：下端部
６６：分岐管
６７：垂下管
６７ａ：細管
６８：楕円形状部
６８ａ：内側上端部
６８ｂ：外側上端部
６８ｃ：外側下端部
【図１】
2008079504.tif 000003
【図２】
2008079504.tif 000004
【図３】
2008079504.tif 000005
【図４】
2008079504.tif 000006
【図５】
2008079504.tif 000007
【図６】
2008079504.tif 000008
【図７】
2008079504.tif 000009
【図８】
2008079504.tif 000010
【図９】
2008079504.tif 000011
【図１０】
2008079504.tif 000012
【図１１】
2008079504.tif 000013
【図１２】
2008079504.tif 000014
【図１３】
2008079504.tif 000015
【図１４】
2008079504.tif 000016
【図１５】
2008079504.tif 000017
【図１６】
2008079504.tif 000018
【図１７】
2008079504.tif 000019
【図１８】
2008079504.tif 000020
【図１９】
2008079504.tif 000021
【図２０】
2008079504.tif 000022
【図２１】
2008079504.tif 000023
【図２２】
2008079504.tif 000024
【図２３】
2008079504.tif 000025
【図２４】
2008079504.tif 000026